(57)【要約】【課題】フランジが取り付けられた配管の検査対象部分に対する封止を、短時間で確実に実施可能とする漏洩検査用治具を提供することである。【解決手段】提案する漏洩検査用治具２は、漏洩検査を実施する機器の、フランジ部６が取り付けられた配管１の端部に設けられる栓部３と、フランジ部６に設けられた穴部に一方の端部に設けられたフック７で引っ掛けられて、該穴部を所定の張力で引っ張る複数本のバネ付ワイヤ４と、該複数本のバネ付ワイヤ４の他方の端部に連結する複数の連結部８を外周部において有する押付板５と、を有する。【選択図】  図１
2009270969.tif 000002
【特許請求の範囲】
【請求項１】
漏洩検査を実施する機器の配管の検査対象部分に使用される漏洩検査用治具において、
前記機器のフランジ部が取り付けられた配管端部に設けられる栓部と、
前記栓部を前記配管端部に係止する係合部と、を有することを特徴とする漏洩検査用治具。
【請求項２】
前記係合部は、
前記フランジ部に設けられた穴部に一方の端部に設けられた第１の係合部により係止された複数本のバネ付き索体と、
該複数本のバネ付き索体の他方の端部に連結する複数の連結部を外周部において有する押付板と、
を有することを特徴とする請求項１記載の漏洩検査用治具。
【請求項３】
前記係合部は、
前記機器の配管に膨張していない状態では挿入可能な大きさであり、流体の流入により前記機器の配管の内径以上に膨張する内部が空洞の膨張部材、を有し、
前記栓部は、前記膨張部材に連通する管路と、該管路に流入した流体の逆流を止める逆止弁とをさらに有することを特徴とする請求項１記載の漏洩検査用治具。
【請求項４】
前記係合部は、
前記フランジ部に設けられた穴部に一方の端部に設けられた第１の係合部により係止された複数本のバネ付き索体と、
該複数本のバネ付き索体の他方の端部に連結する複数の連結部を外周部において有する押付板と、
をさらに有することを特徴とする請求項３記載の漏洩検査用治具。
【請求項５】
漏洩検査を実施する機器の配管の検査対象部分に拘止される拘止部材をさらに有し、
該拘止部材は、拡開縮閉が可能であり、外周には、前記複数本のバネ付き索体の第１の係合部を係止する複数の第２の係合部が設けられ、前記複数本のバネ付き索体の第１の係合部は、前記フランジに設けられた穴部または前記第２の係合部のいずれか一方に係止されることを特徴とする請求項２または４記載の漏洩検査用治具。
【請求項６】
前記栓部は、前記フランジ部が取り付けられた配管の端部に接触する部分またはその近傍では、外側に向かって拡がる円錐形状を有するとともに、外側の配管軸方向に直交する面内に突起部が設けられ、
前記押付板は、中央部に前記栓部の突起部を挿通させる穴部がさらに設けられることを特徴とする請求項２または４記載の漏洩検査用治具。
【請求項７】
前記索体に張力を発生する機構として，ラチェット機構等のバネ以外の張力発生機構を用いた，請求項２または４または５記載の漏洩検査用治具。
【発明の詳細な説明】
【技術分野】
【０００１】
本発明は、燃料電池発電装置等、装置の生産工程で気密検査を実施する機器において、その機器の配管の検査対象部分に対し、漏洩検査を実施する際に使用される漏洩検査用治具に関する。
【背景技術】
【０００２】
従来、燃料電池発電装置等、装置の生産工程で気密検査（漏洩検査）を実施する機器では、その機器の配管の検査対象部分に対し、フランジを溶接等により取り付けてから、そのフランジと封止板とを、複数本のボルト・ナットにより固定している。
【０００３】
しかし、この方法によれば、封止板の取り付け、取り外しに多くの時間を費やす必要があり、漏洩検査を迅速に実施することができない。特に検査箇所が多数ある場合、その影響は顕著である。
【０００４】
なお、周辺技術として、特許文献１では、フランジ部材と連結軸により配管内の押さえ板を固定し、連結軸に外装する円筒材にＯリングを介在させ、パッキンを周設したピストン部材を円筒材と配管内面との間に嵌入する。また、押さえ板の外周端面にカラーをパッキン端面に当接するように周設して、被試験空間を形成する。そして、フランジ部材に設けられたプラグを通して高圧窒素ガスを被試験空間に導入して、耐圧試験を行っている。
【０００５】
特許文献２では、地上のサービスタンクと連結する返油管路は、通常時は、封止プラグにより閉鎖されているが、試験実施時に、封止プラグを外してゴム栓をチーの中に挿入し、ゴム栓に空気を圧入して膨張させ、返油管路をある位置で閉鎖する。さらに、地下オイルタンクへの給油管路上の仕切り弁を閉鎖することで耐圧領域を形成し、地下オイルタンクの加圧漏洩試験を行なっている。
【０００６】
特許文献３では、従来の溶接、切断、仕上げ作業をなくし、圧力試験の準備作業を簡素化する圧力試験治具が示されている。この圧力試験治具は、配管内径より若干小径の弾性体である小径軸部、配管外径より大径の弾性体であり、一端面に配管端部が挿入される凹部を有し、他端面に（メスネジである）押圧体の嵌入軸部を嵌入する嵌合孔部を有する大径フランジ部、押圧体および大径フランジ部をカバーするケース体、ナット部材、オスネジである連結部材、によって構成される。小径軸部の貫通孔に連結部材を挿通させ配管端部に挿入し、大径フランジ部の凹部を配管端部に嵌入し、押圧体の嵌入軸部を大径フランジ部の嵌合孔部に嵌入し、ケース体で押圧体をカバーし、ケース体の挿入孔から突出した連結部材のネジ部をナット部材により締め付けることで、連結部材の頭と押圧体とに挟まれた小径軸部および大径フランジ部が軸方向に圧縮されて径方向に膨張し、シール機能に優れた耐圧領域を形成する。
【０００７】
特許文献４では、ガス供給を止める区間を最小限に押えて、気密試験を行なう方法が示されている。すなわち、ガスホース内部に設けられた気密用風船に水を供給して膨張させ、ガス管の内壁に密着させて、内管の外周とガス管内壁との間の空間をガス管から分離して、気密試験区間を形成する。そして、ボンベ内の気体を、ポンプにより、昇圧ホースを通して気密試験区間に供給する。
【０００８】
特許文献５では、試験対象とする階だけで作業を遂行することができる排水管の漏洩試験方法が示されている。すなわち、試験対象とする階における集合管の縦管受口に第１の閉塞具を嵌合して、縦管受口をシール機構と第１の閉塞具とにより密閉し、集合管に接続された下階の縦管の一部を（可撓管により縦管受口から吊り降ろされた）第２の閉塞具により密閉する。さらに、分岐管の開口部のすべてを密閉して気密試験区間を形成し、気密試験区間内に流体を注入して加圧し、排水管の漏洩試験を行なう。
【０００９】
特許文献６では、膨張式閉止体を収縮状態で耐圧対象継手を含む配管の内面に設定し、閉止板を配管端部に取り付ける。そして、膨張材封入ノズルにより、外部から膨張材を膨張式閉止体に封入して、膨張式閉止体を配管に密着させて、膨張式閉止体と閉止板との間に耐圧領域を形成する。そして、加圧ノズルにより、耐圧漏洩試験材を封入し、局部耐圧漏洩試験を行なっている。
【００１０】
特許文献７では、開口部を有する円筒形のケーシング、ケーシングに取り付けられた複数のツメにより保持される押え板、ケーシングの内壁に取り付けられるゴムスリーブ、ゴムスリーブと配管の間に設けられるＯリング、により構成される配管耐圧用治具が示されている。
【特許文献１】特開平７−１４００３５号公報
【特許文献２】特開平８−３５９０５号公報
【特許文献３】特開平６−２６９７５号公報
【特許文献４】特開２００４−２７１４０７号公報
【特許文献５】特開２００１−２８１０８８号公報
【特許文献６】特開平２−７５９２９号公報
【特許文献７】特開昭５９−１１２２４０号公報
【発明の開示】
【発明が解決しようとする課題】
【００１１】
本発明は、フランジが取り付けられた配管の検査対象部分に対する封止を、短時間で確実に実施可能とする漏洩検査用治具を提供することを目的とする。
【課題を解決するための手段】
【００１２】
提案する漏洩検査用治具は、漏洩検査を実施する機器の配管の検査対象部分に使用される。
この漏洩検査用治具は、上記機器のフランジ部が取り付けられた配管端部に設けられる栓部と、上記栓部を上記配管端部に係止する係合部と、によって構成される。
【００１３】
上記係合部は、第１の構成として、上記フランジ部に設けられた穴部に一方の端部に設けられた第１の係合部（フック等）により係止された複数本のバネ付き索体と、該複数本のバネ付き索体の他方の端部に連結する複数の連結部を外周部において有する押付板と、を有する。
【００１４】
上記係合部は、第２の構成として、上記機器の配管に膨張していない状態では挿入可能な大きさであり、流体の流入により前記機器の配管の内径以上に膨張する内部が空洞の膨張部材、を有し、上記栓部は、前記膨張部材に連通する管路と、該管路に流入した流体の逆流を止める逆止弁とをさらに有する。
【００１５】
上記係合部の第２の構成に対して、上記フランジ部に設けられた穴部に一方の端部に設けられた第１の係合部により係止された複数本のバネ付き索体と、該複数本のバネ付き索体の他方の端部に連結する複数の連結部を外周部において有する押付板と、をさらに有するようにしてもよい。
【００１６】
上記漏洩検査用治具の上記係合部の第１または第２の構成において、漏洩検査を実施する機器の配管の検査対象部分に拘止される拘止部材をさらに有し、該拘止部材は、拡開縮閉が可能であり、外周には、前記複数本のバネ付き索体の第１の係合部を係止する複数の第２の係合部（フック取付用の穴部等）が設けるようにしてもよい。複数本のバネ付き索体の一方の端部に設けられた第１の係合部を、フランジ部に設けられた穴部に係止する代わりに、配管に拘止された拘止部材の外周の複数の第２の係合部に係止することも可能である。
【発明の効果】
【００１７】
提案する漏洩検査用治具の上記係合部の第１または第２の構成によれば、複数本のバネ付き索体の一方の端部に設けられた第１の係合部を、フランジ部に設けられた穴部、または、配管に拘止された拘止部材の外周の複数の第２の係合部、に係止することにより、複数本のバネ付き索体に連結された押付板を通して栓部に押し付け力を加えることができ、フランジ部と封止板（不図示）とをボルト、ナットの工具を使用して固定する従来の方法と比較して、配管の気密状態を短時間で確実に作り出すことができる。
【発明を実施するための最良の形態】
【００１８】
以下図面に基づいて、本発明の実施形態について詳細を説明する。
図１は、本発明の第１実施形態に係る漏洩検査用治具が配管に取り付けられた状態を示す断面図と、該漏洩検査用治具の軸方向正面図とを示した図である。
【００１９】
図２に示すような機器の配管１の検査対象部分（フランジ部６が取り付けられた配管端部）に対し、漏洩検査の実施時に図１の漏洩検査用治具２が取り付けられる。
漏洩検査用治具２は、栓部３、複数本のバネ付ワイヤ４、押付板５、を有する。
【００２０】
栓部３は、フランジ部６が予め取り付けられた配管１（の末端）に接触する部分またはその近傍では、外側に向かって拡がる円錐形状を有するとともに、外側の配管軸方向に直交する面内に突起部が設けられる。
【００２１】
バネ付ワイヤ４は、フランジ部６に設けられた穴部に一方の端部に設けられたフック７で引っ掛けられて、バネ付ワイヤ４のバネの作用によりその穴部を所定の張力で引っ張る。なお、本実施形態では、バネ付ワイヤ４の一方の端部にフック７を設けているが、つっかえ棒など、バネ付ワイヤ４の一方の端部をフランジ部６に設けられた穴部に係止する任意の機構が採用可能である。
【００２２】
押付板５は、図１に示すように円環形状を有する。そして、複数本（図１の右側の軸方向正面図では４本）のバネ付ワイヤ４の他方の端部に連結する複数（図１の右側の軸方向正面図では４つ）の連結部８を外周部において有し、中央部に栓部３の突起部を挿通させる穴部が設けられる。押付板５の穴部に栓部３の突起部を挿通させることで、押付板５が栓部３上に位置決めされる。
【００２３】
よって、複数本のバネ付ワイヤ４およびフック７により、フランジ部６に設けられた穴部を所定の張力で引っ張ることにより、複数本のバネ付ワイヤ４に連結された押付板５を通して栓部３に押し付け力を加えることができ、フランジ部６と封止板（不図示）とをボルト、ナットの工具を使用して固定する従来の方法と比較して、配管の気密状態を迅速に作り出すことができる。
【００２４】
なお、バネ付ワイヤ４のフック７は、フランジ部６に設けられた穴部以外に引っ掛けることも可能である。
図３は、バネ付ワイヤ４のフック７を引っ掛けるフック取付用の穴部を有する被覆管の斜視図である。
【００２５】
図３に示す被覆管１１は、フランジ部が取り付けられた配管において、そのフランジ部の直後の配管部分に拘止される。
被覆管１１は、図３に示すように、配管に装着可能な内部が空洞の円柱形状を有する。そして、被覆管１１を管路方向に２つ割りにし、半割り同士の管をヒンジ１２等で締結し、留め金（不図示）等で配管に装着された閉状態を維持可能とする。
【００２６】
また、フック取付用の穴部１３を被覆管１１の端部から所定距離の周方向に設ける。なお、本実施形態では、フック取付用の穴部１３を被覆管１１の外周に設けているが、フランジから離れる方向に開いたフックなど、バネ付ワイヤ４の一方の端部に設けられたフック７を被覆管１１の外周に係止する任意の機構が採用可能である。
【００２７】
図４は、本発明の第１実施形態の変形例の漏洩検査用治具が配管に取り付けられた状態を示す断面図と、該漏洩検査用治具の軸方向正面図とを示した図である。
図１では、バネ付ワイヤ４のフック７は、フランジ部６に設けられた穴部に引っ掛けられているが、図４では、バネ付ワイヤ４のフック７は、被覆管１１のフック取付用の穴部１３に引っ掛けられていることが、図１と図４との相違点である。
【００２８】
図５は、本発明の第２実施形態に係る漏洩検査用治具が配管に取り付けられた状態を示す断面図である。
図５において、機器の配管２１の検査対象部分に対し、漏洩検査の実施時に漏洩検査用治具２２が取り付けられる。
【００２９】
漏洩検査用治具２２は、膨張部材２３、栓部２４、複数本のバネ付ワイヤ２５、押付板２６、を有する。
膨張部材２３は、配管２１に膨張していない状態では挿入可能な大きさであり、気体等の流体の流入により配管２１の内径以上に膨張することが可能で、内部が空洞である。
【００３０】
栓部２４は、フランジ部２７が取り付けられた配管２１（の末端）に接触する部分またはその近傍では、外側に向かって拡がる円錐形状を有し、膨張部材２３に連通する管路を有し、その管路には流入した気体等の流体の逆流を止める逆止弁２８を有し、外側の配管軸方向に直交する面内に突起部を有する。なお、逆止弁２８としては、遊具の浮き輪等に用いられる逆止弁と同様の構造が適用可能である。
【００３１】
バネ付ワイヤ２５は、配管２１に装着された被覆管３１のフック取付用の穴部３３に一方の端部に設けられたフック２９で引っ掛けられて、バネ付ワイヤ２５のバネの作用によりその穴部を所定の張力で引っ張る。
【００３２】
押付板２６は円環形状を有する。そして、複数本のバネ付ワイヤ２５の他方の端部に連結する複数の連結部３０を外周部において有し、中央部には、栓部２４の突起部を挿通させる穴部が設けられる。押付板２６の穴部に栓部２４の突起部を挿通させることで、押付板２６が栓部２４上に位置決めされる。
【００３３】
よって、複数本のバネ付ワイヤ２５およびフック２９により、配管２１に装着された被覆管３１のフック取付用の穴部３３を所定の張力で引っ張ることにより、複数本のバネ付ワイヤ２５に連結された押付板２６を通して栓部２４に押し付け力を加えることができ、フランジ部２７と封止板（不図示）とをボルト、ナットの工具を使用して固定する従来の方法と比較して、配管の気密状態を迅速に作り出すことができる。
【００３４】
なお、図５の栓部２４と膨張部材２３とは、分離したものを一体化したものでもよいし、予め一体化されていてもよい。
なお、流体が気体の場合、図５の構成において、例えば、ハンドポンプを栓部２４の逆止弁２８に連結し、ハンドポンプから供給される気体により膨張部材２３を膨張させる。
【００３５】
また、図５の構成において、バネ付ワイヤ２５のフック２９を配管２１に装着された被覆管３１のフック取付用の穴部３２に引っ掛ける代わりに、フランジ部２７に設けられた穴部に引っ掛けることも可能である。この場合、被覆管３１は不要となる。
【００３６】
また、低圧での気密検査においては、図５において、押付板２６およびそれに連結される複数本のバネ付ワイヤ２５を有さない構成とすることも可能である。ただし、低圧での場合も、安全性の面から、押付板２６およびそれに連結される複数本のバネ付ワイヤ２５を有する方が一層好ましい。なお、この押付板２６およびそれに連結される複数本のバネ付ワイヤ２５を有さない構成の場合でも、膨張時に配管２１の内壁に密着する膨張部材２３を有することから栓単独の場合と比較して、より確実な気密状態を作り出すことができる。
【００３７】
また、以上の説明では、バネ付ワイヤ４のバネにより張力を発生させていたが、ラチェット機構、ねじ機構、等、任意の張力発生機構を採用可能である。
また、以上説明した各実施形態およびその変形例の方法は、例えば、１ＭＰａ程度以下の低圧での気密検査に使用するのが好ましい。
【図面の簡単な説明】
【００３８】
【図１】本発明の第１実施形態に係る漏洩検査用治具が配管に取り付けられた状態を示す断面図と、該漏洩検査用治具の軸方向正面図とを示した図である。
【図２】フランジ部が取り付けられた配管の検査対象部分の斜視図である。
【図３】バネ付ワイヤのフックを引っ掛けるフック取付用の穴部を有する被覆管の斜視図である。
【図４】本発明の第１実施形態の変形例の漏洩検査用治具が配管に取り付けられた状態を示す断面図と、該漏洩検査用治具の軸方向正面図とを示した図である。
【図５】本発明の第２実施形態に係る漏洩検査用治具が配管に取り付けられた状態を示す断面図である。
【符号の説明】
【００３９】
１、２１  配管
２、２２  漏洩検査用治具
３、２４  栓部
４、２５  バネ付ワイヤ
５、２６  押付板
６、２７  フランジ部
７、２９  フック
８、３０  押付板の連結部
１１、３１  被覆管
１２  ヒンジ
１３、３３  フック取付用の穴部
２３  膨張部材
２８  逆止弁
【図１】
2009270969.tif 000003
【図２】
2009270969.tif 000004
【図４】
2009270969.tif 000005
【図５】
2009270969.tif 000006
【図３】
2009270969.tif 000007